(57)【要約】【課題】洗面台が邪魔とならず、化粧等の作業を行ない易いように構成された洗面化粧台を提供する。【解決手段】本発明に係る洗面化粧台１は、前壁２に設けられた前鏡５と、前鏡５の前方に位置する左右幅方向領域１０とを備え、左右幅方向領域１０が、洗面台６を有する第１領域１１と、洗面台６の横に位置して人が洗面台６の前端縁６ａよりも前鏡５に近付くことが可能な第２領域１２とを備えたことを特徴とする。【選択図】図１
2018033702.tif 000002
【特許請求の範囲】
【請求項１】
前壁に設けられた前鏡と、前鏡の前方に位置する左右幅方向領域とを備え、
左右幅方向領域が、洗面台を有する第１領域と、洗面台の横に位置して人が洗面台の前端縁よりも前鏡に近付くことが可能な第２領域とを備えたことを特徴とする洗面化粧台。
【請求項２】
前壁より前方に突出する側壁のうちの第２領域に近い側の側壁における前鏡側の面である内面に姿見鏡を備えたことを特徴とする請求項１に記載の洗面化粧台。
【発明の詳細な説明】
【技術分野】
【０００１】
本発明は、前鏡と洗面台とを備えた洗面化粧台に関する。
【背景技術】
【０００２】
従来の洗面化粧台として、前壁の前面に設けられた前鏡と、前鏡の前方（前鏡の裏面側から前鏡の前面側に向かう方向）に位置する左右幅方向領域の全域に亘って設けられた洗面台（天板）と、洗面台の中央に設けられた洗面器とを備えた構成のものが知られている(例えば、特許文献１等参照）。
【先行技術文献】
【特許文献】
【０００３】
【特許文献１】特開平０７−２２２６９０号公報
【発明の概要】
【発明が解決しようとする課題】
【０００４】
従来の洗面化粧台は、前鏡の前方における左右幅方向領域の全域に亘って位置する洗面台の前端縁が前方に突出するため、洗面台の前側に立った人が化粧等の作業を行なおうとして顔を前鏡に近付けようとする場合、洗面台が邪魔となるため、腰を曲げて顔を前鏡側に近付ける等の無理な体勢を強いられ、作業を行い難いという課題があった。
本発明は、上記課題に鑑みてなされたもので、洗面台が邪魔とならず、化粧等の作業を行ない易いように構成された洗面化粧台を提供する。
【課題を解決するための手段】
【０００５】
本発明に係る洗面化粧台は、前壁に設けられた前鏡と、前鏡の前方に位置する左右幅方向領域とを備え、左右幅方向領域が、洗面台を有する第１領域と、洗面台の横に位置して人が洗面台の前端縁よりも前鏡に近付くことが可能な第２領域とを備えたことを特徴とする。
また、前壁より前方に突出する側壁のうちの第２領域に近い側の側壁における前鏡側の面である内面に姿見鏡を備えたことを特徴とする。
【発明の効果】
【０００６】
本発明に係る洗面化粧台によれば、人が洗面台の前端縁よりも前鏡に近付くことが可能な第２領域を備えているので、洗面台が邪魔とならず、無理な体勢を強いられることなく、化粧等の作業を行ない易くなる。
また、姿見鏡を備えるので、全身チェックを行うこともできるようになる。
【図面の簡単な説明】
【０００７】
【図１】洗面化粧台を示す斜視図（一部断面）。
【図２】洗面化粧台の正面図。
【図３】洗面化粧台の平面図。
【図４】洗面化粧台の右側から左側壁を見た側面図（一部断面）。
【発明を実施するための形態】
【０００８】
図１に示すように、実施形態に係る洗面化粧台１は、前壁２と、前壁２の左右両端側より前壁２の前方に突出する左側壁３及び右側壁４と、前壁２の前面側に設けられた前鏡５と、前鏡５の前方の左右幅方向領域１０とを備え、当該左右幅方向領域１０が、洗面台６を有する第１領域１１と、洗面台６の横に位置して人が洗面台６の前端縁６ａよりも前鏡５の前面５ａに近付くことが可能な第２領域１２とを備えている。
尚、本明細書においては、図１に示すように、前鏡５の裏面５ｂ側から前鏡５の前面５ａ側に向かう方向Ｆを前方、前鏡５の前面５ａ側から前鏡５の裏面５ｂ側に向かう方向Ｒを後方と定義する。
【０００９】
洗面化粧台１は、床面７から例えば７０ｃｍ〜９０ｃｍ上方に位置する前壁２の前面から前方に突出するように設けられた洗面台６及び物置として利用可能な中棚８を備えるとともに、床面７から例えば３０ｃｍ〜５０ｃｍ上方に位置してかつ中棚８及び洗面台６の下方に位置する前壁２の前面から前方に突出するように設けられて物置として利用可能な下棚９を備えている。
洗面台６は洗面器６ｂ及び水栓６ｃを備え、洗面器６ｂの排水口に排水管６ｅが接続される（図２参照）。
【００１０】
即ち、前鏡５の前方に位置する左右幅方向領域１０の左右のいずれか一方の半分の領域に亘って中棚８が左右方向に延在するように設けられ、かつ、前鏡５の前方に位置する左右幅方向領域１０の左右の他方の半分の領域に亘って左右方向に延長して中棚８と連続する洗面台６及び洗面器６ｂを備えている。
さらに、中棚８及び洗面台６の下方に設けられた下棚９は、洗面台６の下方に位置する第１部分９Ａと、中棚８の下方に位置する第２部分９Ｂとを備えている。
尚、洗面台６と中棚８との境界部分、及び、下棚９における第１部分９Ａと第２部分９Ｂとの境界部分は、角部が形成されないように、Ｒ形状に形成されている。
【００１１】
つまり、洗面化粧台１は、前鏡５の前方に、洗面台６と下棚９の第１部分９Ａとを有した第１領域１１と、中棚８と下棚９の第２部分９Ｂとを有した第２領域とを備える。
また、人が洗面台６の前端縁６ａよりも前鏡５の前面５ａに近付くことが可能な第２領域１２の幅寸法は、例えば４３０ｍｍ（ＪＩＳ  Ａ８３２６「土工機械−運転座席−寸法及び要求事項」における座席クッション底部の最小幅）以上、例えば４５０〜４６０ｍｍに設定される。
【００１２】
そして、図３に示すように、前鏡５の前面５ａから第２領域１２の中棚８の前縁面８ａと同一垂直平面上の位置までの距離Ａが、前鏡５の前面５ａから第１領域１１の洗面台６の前端縁６ａと同一垂直平面上の位置までの距離Ｂよりも短くなるように形成される。
また、前鏡５の前面５ａから下棚９の第１部分９Ａにおける前縁面９ａと同一垂直平面上の位置までの距離Ｃは、前鏡５の前面５ａから第１領域１１の洗面台６の前端縁６ａと同一垂直平面上の位置までの距離Ｂよりも短くなるように形成される。また、距離Ｃと距離Ａとの関係は、距離Ｃ≧距離Ａとなるように設定される。即ち、距離Ａと距離Ｂと距離Ｃとの関係は、距離Ｂ＞距離Ｃ≧距離Ａとなるように設定される。
【００１３】
よって、人が洗面台６の前端縁６ａの前側に立った場合と、人が中棚８の前縁面８ａの前側に立った場合とにおいて、人が中棚８の前縁面８ａの前側に立った場合の方が、無理な体勢を強いられることなく、顔を前鏡５の前面５ａに近付けるようになり、化粧等の作業を行ない易くなる。特に、女性が化粧をする際に洗面台６の前端縁６ａの前側に立った場合には、細かい部分の化粧を直す場合等、洗面台６が邪魔になるため、腰を曲げて前屈みになって顔を前鏡５の前面５ａに近付ける等の無理な体勢を強いられ、例えば、ヒールを履いている時や子供をおんぶしている時など大変であるが、中棚８の前縁面８ａの前側に立つことにより、顔を前鏡５の前面５ａに無理なく近付けることができるようになるため、化粧直しを容易に行えるようになり、化粧時の負担を軽減できる。
【００１４】
尚、洗面化粧台１は、前壁２と、左側壁３と、右側壁４と、洗面台６と、洗面器６ｂと、中棚８と、下棚９とがメラミン樹脂板等の合成樹脂板によって一体成形された一体成形品により構成されている。
また、前鏡５が取付けられた前壁２の前面における上下側は、上下方向に湾曲する凹面形状の上壁２Ａ及び下壁２Ｂに形成され、この上壁２Ａ及び下壁２ＢにＬＥＤパネル２Ｃが設置されている。
【００１５】
さらに、図１；図４に示すように、洗面台６の前端縁６ａの前側あるいは中棚８の前縁面８ａの前側に立って前鏡５に向かい合った人の左側に位置する左側壁３の前鏡５側の面である内面３ａには、姿見鏡１３が設けられている。即ち、前壁２より前方に突出する左右の側壁３，４のうちの第２領域１２に近い側の左側壁３における前鏡５側の面である内面３ａに姿見鏡１３を備えた構成とした。
従って、人が姿見鏡１３を見ながら自己の全身チェックを行うことができる。
【００１６】
即ち、実施形態の洗面化粧台１は、洗面台６の上方の前壁２を洗面台６の左右方向のいずれかに延長して、前鏡５を洗面台６の左右方向のいずれかに延長するように前壁２の前面に設け、延長した前鏡５の前面５ａに人がより近づき易いようにした。言い換えれば、左右方向に延長する前壁２の前面に左右方向に延長する前鏡５を設けて、洗面台６が前鏡５の前方における左右幅方向領域における左右のどちらかに寄るように設けられた構成とした。
【００１７】
従って、実施形態１によれば、人が一所で、手洗い、歯磨き、化粧、全身チェック等を行うことが可能な洗面化粧台１を提供できるようになる。言い換えれば、人が一所で、手洗い、歯磨き、化粧、全身チェック等を行うことが可能な空間である洗面化粧ブースを提供できるようになる。
特に、人が中棚８の前縁面８ａの前側に立った場合に、無理な体勢を強いられることなく、顔を前鏡５の前面５ａに近付けることができるようになり、化粧等の作業を行ない易くなる洗面化粧台１を提供できる。
【００１８】
尚、人が洗面台６の前端縁６ａよりも前鏡５の前面５ａに近付くことが可能な第２領域１２は、前鏡５の前方に設けられた洗面台６の左右両側に設けるようにしてもよい。
また、姿見鏡１３は、洗面台６の前端縁６ａの前側あるいは中棚８の前縁面８ａの前側に立って前鏡５に向かい合った人の右側に位置する右側壁４の前鏡５側の面である内面に設けられていても良い。
【符号の説明】
【００１９】
１  洗面化粧台、２  前壁、３  左側壁（側壁）、３ａ  左側壁の内面、５  前鏡、
６  洗面台、６ａ  洗面台の前端縁、１０  左右幅方向領域、１１  第１領域、
１２  第２領域、１３  姿見鏡。
【図１】
2018033702.tif 000003
【図２】
2018033702.tif 000004
【図３】
2018033702.tif 000005
【図４】
2018033702.tif 000006